(57)【要約】【課題】試料の出し入れに伴うスライドカバーの移動、固定が容易な材料試験装置を提供する。【解決手段】  スライドカバー４１の裏面の両サイド近傍にバネ付き蝶番５のハネ板５１をトーションバネ５２によってハネ板５３が前側に付勢されるように固定する。ハネ板５３にはガイド枠２の外壁上に位置する摩擦部材８とスライドカバー４１の貫通孔４ａ、４ｂに通された把手７の両端を固定する。把手７がフリーの状態では、前記トーションバネ５２による弾力により摩擦部材８がガイド枠２に押し付けられてスライドカバー４は固定され、把手７が押し込まれると摩擦部材８がガイド枠２から離反してスライドカバー４は昇降自在となる。【選択図】            図１
0003149656.tif 000002
【実用新案登録請求の範囲】
【請求項１】
立設された矩形状のフレーム枠を有し、このフレーム枠の上下の枠間で試料を把持し、荷重負荷を加えて試験する材料試験装置において、このフレーム枠の前面に配設され、かつ、フレーム枠の両側に亘って配置された上下スライド可能なスライドカバーと、フレーム枠に近接して配設されスライドカバーを上下動自在に案内するガイド枠と、このスライドカバーを適宜ガイド枠の任意の位置で係止させることができる係止手段を設けたことを特徴とする材料試験装置。
【請求項２】
前記係止手段は、スライドカバー側に保持され、かつガイド枠に押圧されてその摩擦によりスライドカバーをガイド枠に係止させる係止部材と、この係止部材をガイド枠に対して付勢離脱操作させる操作部にて構成されていることを特徴とする請求項１記載の材料試験装置。
【請求項３】
前記スライドカバーの重量を相対的に軽減するためのスライドカバーを上方に牽引する牽引手段を備えていることを特徴とする請求項１記載及び請求項２記載の材料試験装置。
【考案の詳細な説明】
【技術分野】
【０００１】
試料の破壊強度を計測する材料試験装置に関し、特に破壊された試料の飛散を防止するための飛散防止カバーを設けた材料試験装置に関する。
【背景技術】
【０００２】
図８は試料の引張、圧縮または曲げなどの強度を計測する材料試験装置の概略構成を示す正面図である。材料試験装置１００は、フレーム枠１０１内を昇降するクロスヘッド１０２にロードセル１０３を連結し、例えば引張試験を行なう場合は、前記ロードセル１０３に結合する把持具１０４とフレーム枠１０１の下部に結合する把持具１０５にて試料Ｓを固着する。そしてクロスヘッド１０２を図示していない駆動装置にて徐々に上昇させて試料Ｓに引張荷重を加え、その引張強度を計測する。この時、計測中に試料Ｓが突然破壊することがあり、また試料Ｓの破壊強度を計測する場合には試料Ｓを必ず破壊させる。
【０００３】
試料Ｓが破壊する場合、破壊物が周囲に飛散して操作者に危険が及ぶことがある。このような材料試験装置１００では、試料Ｓの出し入れと試料Ｓの飛散防止のため、フレーム枠１０１に固設した蝶番１０６を介して２点鎖線側に開く片開きカバー１０７や図９に示す２点鎖線側にスライドさせるスライドカバー１０８を設け、あるいは観音開きカバー（図示省略）などの安全カバーなどを設ける。
【特許文献１】特開２００３−１９４６８８号公報
【考案の開示】
【考案が解決しようとする課題】
【０００４】
しかしながら、試料Ｓを出し入れする安全カバーに前記スライドカバー１０８を使用する例では、片開きカバー１０７や観音開きカバーを使用した場合に比べ前面スペースが小さくて済むが、引き上げたスライドカバー１０８の落下を防止すべく図９に示す止めネジ１０９を使用して所定位置に固定させる必要があり、スライドカバー１０８の昇降時の固定作業に手数を要し、試験の作業効率を低下させる。
【課題を解決するための手段】
【０００５】
上記の問題点を解決するため、本考案の材料試験装置は、立設された矩形状のフレーム枠を有し、このフレーム枠の上下の枠間で試料を把持し、荷重負荷を加えて試験する材料試験装置において、このフレーム枠の前面に配設され、かつ、フレーム枠の両側に亘って配置された上下スライド可能なスライドカバーと、このスライドカバーをフレーム枠に沿って案内するガイド枠と、適宜両側フレームの任意の位置で係止させることができる係止手段を設けたものである。
特に本考案の係止手段は、スライドカバー側に保持され、かつ、前記ガイド枠に押圧されてその摩擦によりスライドカバーをガイド枠に係止させる係止部材と、この係止部材をガイド枠に対して係止または離脱操作させる操作部にて構成されている。
さらに本考案は、スライドカバーの重量を相対的に軽減するためのスライドカバーを上方に牽引する手段、例えばバランスウエイト機構を備えていて、スライドカバーを容易に上下方向に移動または係止できる。
【考案の効果】
【０００６】
スライドカバーに設けた操作部の押し込み、引き寄せ操作で、係止部材をガイド枠に係脱でき、スライドカバーを上下動操作することが容易であって、すばやく所定の位置に固定できる。また、スライドカバーが上向きに牽引されていることにより操作に要する労力を軽減でき、試験の遂行効率を向上できる。
【考案を実施するための最良の形態】
【０００７】
以下、本考案による材料試験装置を図１から図７を参照して説明する。なお、図１から図７において同一の符号で示される部品は同一の機能を有する。図１（Ａ）は、本考案の第１実施例を材料試験装置１に取付けた構成を示す図で、図１（Ｂ）は図１（Ａ）におけるＡ−Ａ断面拡大図である。図１（Ｃ）は平面図である。Ｋは本考案の要部である係止手段である。まず材料試験装置とスライドカバーの関係は、図１に示すとおりでスライドカバー４はフレーム枠９に固定された両サイドのガイド枠２に挿入されている。スライドカバー４１の裏面の両サイド近傍に図２に示すバネ付き蝶番５のハネ板５１を介して係止手段Ｋが取付けられている。すなわちこの係止手段Ｋはトーションバネ５２の弾力によりハネ板５３がガイド枠２の裏面側に付勢される構造となっており、スライドカバー４に設置された台６を基部としてハネ板５３に付設された摩擦部材（たとえばスポンジやゴム材等）８がガイド枠２の裏面側に押圧される。
【０００８】
前記ハネ板５３には、スライドカバー４１に形成される貫通孔４ａ、４ｂを通して前面から挿入された把手７の両端部が貫通孔５３ａを介して螺着されている。前記ガイド枠２の外壁に密着させる摩擦部材例えば上述したスポンジやゴム材等の摩擦部材８がハネ板５３におけるガイド枠２の側面に貼付固定されている。前記把手７がフリーの状態では、バネ付き蝶番５のトーションバネ５２の弾力によって摩擦部材８は、前記ガイド枠２の外壁に押圧され、その摩擦力によってスライドカバー４はその位置で固定される。
【０００９】
本考案の要部である係止手段は以上のとおりであり、以下作動を説明する。図３に示すスライドカバー４１の側面断面図において、２点鎖線で示す水平状態で把手７を押し下げると、トーションバネ５２の弾力に抵抗しつつ図３に示すとおりハネ板５３が後退し、摩擦部材８がガイド枠２の外壁から離れる。この状態で把手７を引き上げると、スライドカバー４１を昇降できる。所定の高さに引き上げた位置で把手７を緩やかに元に戻すと係止部材の押圧による摩擦力でスライドカバー４１はその位置に係止される。
【００１０】
前記スライドカバー４の変形例であるスライドカバー４Ａの側面断面図を図４に示す。本スライドカバー４Ａは、スライドカバー４１の裏面の両サイド近傍に前記ハネ板５１を、トーションバネ５２の弾力によりハネ板５３が後側に付勢される構造として、台６を挿んでリベット止めまたは溶接等により固定している。把手７がフリーの状態では、トーションバネ５２の弾力により摩擦部材８は、フレーム枠９の壁に押圧され、その摩擦力にてスライドカバー４Ａは固定される。
【００１１】
上記状態でトーションバネ５２による弾力に抵抗しつつ把手７を手前側に引くと、摩擦部材８がフレーム枠９の壁から離れる。この状態で把手７を引き上げると、スライドカバー４Ａは摩擦力を受けることなく昇降できる。所定の高さまで引き上げた状態で把手７を緩やかに復帰させるとその位置でスライドカバー４Ａはフレーム枠９に固定される。なお、上記摩擦部材８を押圧する弾力を発生するバネ付き蝶番５を用いたが、トーションバネ５２以外に例えば板バネを所定の角度に加工した弾性体を利用可能である。
【００１２】
図５（Ａ）は、本考案の第３実施例によるスライドカバー４Ｂおよび４Ｃの構成を示す正面図、図５（Ｂ）は図５（Ａ）におけるＢ−Ｂ断面拡大図、図５（Ｃ）は図５（Ａ）におけるＣ−Ｃ断面拡大図である。このスライドカバー４Ｂは、前記スライドカバー４（図１）の把手７の下方に図５（Ａ）、図５（Ｂ）に示す把手１０を設けたものである。この把手１０の高さは把手７より低く、把手７と一体的に把持すると把手７が後方に押し下げられ、摩擦部材８がガイド枠２の外壁から離れる。したがって、把手７の前後方向の位置が固定された状態でスライドカバー４Ｂを昇降でき操作性がより向上する。
【００１３】
またスライドカバー４Ｃは、前記スライドカバー４Ａ（図４）の把手７の上方に図５（Ａ）、図５（Ｃ）に示す把手１１を設けたものである。この把手１１の高さは把手７より高く、把手７と一体的に把持すると把手７が前方に引き上げられ、摩擦部材８がフレーム枠９の内壁から離れる。したがって、把手７の前後方向の位置が固定された状態でスライドカバー４Ｃを昇降でき操作性が向上する。
【００１４】
図６は、本考案の第４実施例によるスライドカバー４Ｄの構成図である。このスライドカバー４Ｄは、前記スライドカバー４または４Ａにフレーム枠９上に付設したゼンマイバネやコンストンバネを用いて一定の引張荷重を発生する引張荷重器１２をワイヤー１３で連結したものである。この引張荷重器１２を連結することにより、スライドカバー４または４Ａ自体の重量荷重が相対的に軽減され、前記摩擦部材８への押圧力およびスライドカバー４Ｄの引上力が軽減されて操作性がスライドカバー４および４Ａに比べて向上する。
【００１５】
図７はスライドカバー４Ｄの変形例のスライドカバー４Ｅの構成図である。このスライドカバー４Ｅはフレーム枠９上にプーリ１４を付設し、プーリ１４を介してバランスウェート１５とスライドカバー４または４Ａをワイヤー１３で連結したもので、スライドカバー４Ｄと同様に重量荷重が相対的に軽減される。
【００１６】
本考案における係止手段については上記以外にも種々の変形例が挙げられ、例えば操作部を２本の把手で構成して１本はスライドカバーに固定で他方の把手を他の把手側に引き寄せると、蝶番のハネ板がフレームから離脱できる２本方式とすることもできる。
【産業上の利用可能性】
【００１７】
試料の破壊強度を計測する材料試験装置に利用される。
【図面の簡単な説明】
【００１８】
【図１】第１実施例による材料試験装置１のスライドカバーとその取付部分の構成を示す正面図（Ａ）とそのＡ−Ａ図面（Ｂ）および平面図（Ｃ）である。
【図２】本考案の要部たる係止手段についての平面図である。
【図３】本考案の要部たる係止手段についての側面断面図である。
【図４】本考案の要部たる係止手段についての側面断面図である。
【図５】本考案の要部たる係止手段についての正面図（Ａ）、側面断面図（Ｂ）および側面断面図（Ｃ）である。
【図６】本考案の要部たる係止手段についての概略構成図である。
【図７】本考案の要部たる係止手段についての概略構成図である。
【図８】従来の材料試験装置の正面図である。
【図９】従来の材料試験装置の正面図である。
【符号の説明】
【００１９】
１  材料試験装置
２  ガイド枠
４  スライドカバー
４Ａ  スライドカバー
４Ｂ  スライドカバー
４Ｃ  スライドカバー
４Ｄ  スライドカバー
４Ｅ  スライドカバー
４ａ  貫通孔
４ｂ  貫通孔
４１  スライドカバー
５  バネ付き蝶番
５１  ハネ板
５２  トーションバネ
５３  ハネ板
５３ａ  貫通孔
６  台
７  把手
８  摩擦部材
９  フレーム枠
１０  把手
１１  把手
１２  引張荷重器
１３  ワイヤー
１４  プーリ
１５  バランスウェート
１００  材料試験装置
１０１  フレーム枠
１０２  クロスヘッド
１０３  ロードセル
１０４  把持具
１０５  把持具
１０６  蝶番
１０７  片開きカバー
１０８  スライドカバー
１０９  止めネジ
Ｓ  試料
Ｋ  係止手段
【図１】
0003149656.tif 000003
【図２】
0003149656.tif 000004
【図３】
0003149656.tif 000005
【図４】
0003149656.tif 000006
【図５】
0003149656.tif 000007
【図６】
0003149656.tif 000008
【図７】
0003149656.tif 000009
【図８】
0003149656.tif 000010
【図９】
0003149656.tif 000011
【手続補正書】
【提出日】平成21年1月30日(2009.1.30)
【手続補正１】
【補正対象書類名】実用新案登録請求の範囲
【補正対象項目名】全文
【補正方法】変更
【補正の内容】
【実用新案登録請求の範囲】
【請求項１】
立設された矩形状のフレーム枠を有し、このフレーム枠の上下の枠間で試料を把持し、荷重負荷を加えて試験する材料試験装置において、このフレーム枠の前面に配設され、かつ、フレーム枠の両側に亘って配置された上下スライド可能なスライドカバーと、フレーム枠に近接して配設されスライドカバーを上下動自在に案内するガイド枠と、このスライドカバーを適宜ガイド枠の任意の位置で係止させることができる係止手段を設けたことを特徴とする材料試験装置。
【請求項２】
前記係止手段は、スライドカバー側に保持され、かつガイド枠に押圧されてその摩擦によりスライドカバーをガイド枠に係止させる係止部材と、この係止部材をガイド枠に対して付勢離脱操作させる操作部にて構成されていることを特徴とする請求項１記載の材料試験装置。
【請求項３】
前記スライドカバーの重量を相対的に軽減するためのスライドカバーを上方に牽引する牽引手段を備えていることを特徴とする請求項１または２記載の材料試験装置。